(57)【要約】【課題】データ通信装置の従来技術には、ワンタッチキーや短縮ダイヤルに割り当てられた送信先を編集することが可能となっている。さらに、アドレス帳のインポート／エクスポート機能によって、アドレス帳にある宛先を一括で編集することが可能になっている。そのため、宛先が編集されたことを認識していない（知らない）ユーザーがこれまで使用していたワンタッチキーや短縮ダイヤルから送信先を入力した場合、編集された宛先がそのまま使用され、送信文章を誤って送信してしまう可能性があるという懸念があった。【解決手段】ワンタッチキー押下、または、短縮ダイヤル番号入力による宛先入力において、編集された宛先のみ指示されたワンタッチキー番号、または、短縮ダイヤル番号を宛先確認画面に表示し、ユーザーの確認を促す事で誤入力を防ぐ。また、編集されていない宛先が宛先入力で指示された場合は、改めて番号の確認を行わず、操作が煩雑になることを防ぐ。【選択図】  図７
2015216553.tif 000002
【特許請求の範囲】
【請求項１】
送信機能を有する画像形成装置（１００）において、
特定の宛先が割り当てられたワンタッチキー（２１２）または短縮ダイヤル（２１３）と、
宛先編集手段（４０１／９０１）と、
宛先入力判断手段（Ｓ７０２）と、
宛先編集判断手段（Ｓ７０５）と、
宛先確認画面表示手段（２０４）と、
を有し、
前記宛先入力判断手段（Ｓ６０２）により、前記ワンタッチキー（２１２）または前記短縮ダイヤル（２１３）による宛先入力であった場合において、
宛先編集判断手段（Ｓ７０５）により、前記入力された宛先が前記宛先編集手段（４０１／９０１）によって編集された宛先であった場合、前記宛先確認画面表示手段（２０４）に宛先確認画面（６０２）を表示し、編集された宛先でなかった場合には前記宛先確認画面（６０２）を表示しない
ことを特徴とするデータ通信装置（１００）。
【請求項２】
共有利用宛先判断手段（Ｓ７０５）を有し
前記宛先入力判断手段（Ｓ６０２）により、前記ワンタッチキー（２１２）または前記短縮ダイヤル（２１３）による宛先入力であった場合において、
前記入力された宛先が共有利用宛先判断手段（Ｓ７０５）により、共有利用の宛先でない（個人利用の宛先であった）場合は、前記宛先確認画面（６０２）を表示しない
ことを特徴とする請求項１に記載のデータ通信装置（１００）。 
【請求項３】
宛先入力者判断手段（Ｓ７０７）と、
宛先編集者情報手段（Ｓ５１５／Ｓ１０１９）と、
を有し、
前記宛先入力判断手段（Ｓ６０２）により、前記ワンタッチキー（２１２）または前記短縮ダイヤル（２１３）による宛先入力であった場合において、
前記入力された宛先が編集された宛先であり、前記宛先入力者判断手段（Ｓ７０７）、および、前記宛先編集者情報手段（Ｓ５１５／Ｓ１０１９）により、宛先入力者と宛先編集者が異なっていた場合は、前記宛先確認画面表示手段（２０４）に宛先確認画面（６０２）を1回のみ表示（２回目以降は非表示）し、宛先入力者と宛先編集者が同じであった場合は、前記宛先確認画面（６０２）を表示しない
ことを特徴とする請求項１又は請求項２に記載のデータ通信装置（１００）。 
【請求項４】
宛先編集者情報手段（Ｓ５１５／Ｓ１０１９）を有し、
前記宛先入力判断手段（Ｓ６０２）により、前記ワンタッチキー（２１２）、または、前記短縮ダイヤル（２１３）による宛先入力であった場合において、
前記入力された宛先が編集された宛先であり、
宛先編集者情報手段（Ｓ５１５／Ｓ１０１９）により宛先の編集者が特定できない、もしくは、システム管理者であった場合は、前記宛先確認画面表示手段（２０４）に宛先確認画面（６０２）を一定期間表示する
ことを特徴とする請求項１乃至請求項３の何れか一項に記載のデータ通信装置（１００）。
【発明の詳細な説明】
【技術分野】
【０００１】
本発明は、送信機能を利用する際に、送信先を指定するためのワンタッチキー／短縮ダイヤル、および、アドレス帳を備えるデータ通信装置に関するものである。
【背景技術】
【０００２】
送信に際して、送信先を簡便に指定する方法として特定のハードキーに送信先を割り当てたワンタッチキーや数桁の特定番号に送信先を割り当てた短縮ダイヤルが実現されている。また、それらワンタッチキーや短縮ダイヤルに割り当てられた送信先を一覧から選択可能とするアドレス帳が実現されている。
【０００３】
しかし、ワンタッチキー、および、短縮ダイヤルによる送信先の入力が容易である反面どのキーまたは番号に所望の送信先が割り当てられているかを容易に確認するのは難しく、ワンタッチキーの押し間違いや短縮ダイヤル番号間違いによる誤送信の懸念があった。
【０００４】
これに対し、アドレス帳からの送信先指定であれば内容を確認した上で送信先を指示する事ができるため、内容確認を行う事は容易であるが一覧表から順次内容を確認しながら指示を行うため操作が煩雑となっていた。ここで、ワンタッチキーに割り当てられた送信先の内容を容易に確認させることを目的として特許文献１があり、ワンタッチキーに割り当てられた送信先を表示するための表示部を用意するといった方法が提案されている。
【先行技術文献】
【特許文献】
【０００５】
【特許文献１】特開平６−３０３３０１号公報
【発明の概要】
【発明が解決しようとする課題】
【０００６】
データ通信装置の従来技術には、ワンタッチキーや短縮ダイヤルに割り当てられた送信先を編集することが可能となっている。さらに、アドレス帳のインポート／エクスポート機能によって、アドレス帳にある宛先を一括で編集することが可能になっている。
【０００７】
そのため、宛先が編集されたことを認識していない（知らない）ユーザーがこれまで使用していたワンタッチキーや短縮ダイヤルから送信先を入力した場合、編集された宛先がそのまま使用され、送信文章を誤って送信してしまう可能性があるという懸念があった。
【０００８】
本発明は、上述の点に鑑みてなされたものであり、ワンタッチキー押下、または、短縮ダイヤル番号入力による宛先入力において、編集された宛先のみ指示されたワンタッチキー番号、または、短縮ダイヤル番号を宛先確認画面に表示し、ユーザーの確認を促す事で誤入力を防ぐ事ができる。また、編集されていない宛先が宛先入力で指示された場合は、改めて番号の確認を行わず、操作が煩雑になることを防ぐ事ができるデータ通信装置を提供することを目的とする。
【課題を解決するための手段】
【０００９】
上記の課題を解決するために本発明では、
送信機能を有する画像形成装置（１００）において、
特定の宛先が割り当てられたワンタッチキー（２１２）または短縮ダイヤル（２１３）と、
宛先編集手段（４０１／９０１）と、
宛先入力判断手段（Ｓ７０２）と、
宛先編集判断手段（Ｓ７０５）と、
宛先確認画面表示手段（２０４）と、
を有し、
前記宛先入力判断手段（Ｓ６０２）により、前記ワンタッチキー（２１２）または前記短縮ダイヤル（２１３）による宛先入力であった場合において、
宛先編集判断手段（Ｓ７０５）により、前記入力された宛先が前記宛先編集手段（４０１／９０１）によって編集された宛先であった場合、前記宛先入力確認画面表示手段（２０４）に宛先確認画面（６０２）を表示し、編集された宛先でなかった場合には前記宛先確認画面（６０２）を表示しない
ことを特徴とする。
【発明の効果】
【００１０】
本発明によれば、ワンタッチキー押下または短縮ダイヤル番号入力による宛先入力において、編集された宛先のみ指示されたワンタッチキー番号または短縮ダイヤル番号を宛先確認画面に表示し、ユーザーの確認を促す事で誤入力を防ぐ事ができる。
【００１１】
また、編集されていない宛先が宛先入力で指示された場合は、改めて番号の確認を行わず、操作が煩雑になることを防ぐ事ができる。
【図面の簡単な説明】
【００１２】
【図１】データ通信装置の構成を示すブロック図である。
【図２】データ通信装置の操作パネルを示す図である。
【図３】ワンタッチキー／短縮ダイヤルとアドレス帳の関連を示す図である。
【図４】アドレス帳を編集する場合の画面フローを示す図である。
【図５】アドレス帳の編集処理を示すフローチャートである。
【図６】ワンタッチキー／短縮ダイヤルから宛先を指定した場合の画面フローを示す図である。
【図７】ワンタッチキー／短縮ダイヤルからの宛先指定処理を示すフローチャートである。
【図８】宛先確認画面の非表示処理を示すフローチャートである。
【図９】アドレス帳をインポートする場合の画面フローを示す図である。
【図１０】アドレス帳のインポート処理を示すフローチャートである。
【発明を実施するための形態】
【００１３】
以下、本発明を実施するための最良の形態について図面を用いて説明する。
【００１４】
（実施例）
図１は、データ通信装置の構成を示すブロック図である。各ブロックは、モジュールを示している。ブロック間の矢印は、データもしくは指示の流れを示している。データ通信装置１００は、印刷部１０７、読取部１０９、操作パネル１１０、回線Ｉ／Ｆ１１２、及び、これらの制御を司るコントローラ部１０１にて構成される。コントローラ部１０１は、ＣＰＵ１０２、ＲＡＭ１０３、ＲＯＭ１０４、印刷部Ｉ／Ｆ１０６、読取部Ｉ／Ｆ１０８、ＭＯＤＥＭ１１１、ＵＳＢ  Ｉ／Ｆ１１５、ネットワークＩ／Ｆ１１８を含み、各ブロックはシステムバス１０５にて接続されている。
【００１５】
ＣＰＵ１０２は、各種制御プログラムに従って前記の各ブロックを総括的に制御する。各種制御プログラムは、ＲＯＭ１０４のプログラム領域に記憶された制御プログラムを読み出す事によって実行される。或いは、ＲＯＭ１０４のプログラム領域に記憶された圧縮されたデータをＲＡＭ１０３へ伸張、展開して実行される。また、図示しないハードディスクドライブ（ＨＤＤ）に前述の各種制御プログラムを圧縮状態／非圧縮状態で格納してもよい。
【００１６】
ネットワークＩ／Ｆ１１８は、ネットワーク（ＬＡＮ）１２０などを介してホストコンピュータ１２１（図中、ＰＣと表記；以降、ＰＣという）との通信処理を行う。ネットワークＩ／Ｆ１１８とネットワーク網１２０とは、ＬＡＮケーブル１１９などの通信ケーブルで接続される。
【００１７】
ＭＯＤＥＭ１１１は、回線Ｉ／Ｆ１１２を介して公衆回線網１１４と接続し、図示しない他のデータ通信装置やファクシミリ装置、電話機などと通信処理を行う。回線Ｉ／Ｆ１１２と公衆回線網１１４とは、一般的に電話線１１３などで接続される。
【００１８】
印刷部Ｉ／Ｆ１０６は、印刷部１０７（プリンターエンジン）に画像信号を出力するインターフェースを担う。また、読取部Ｉ／Ｆ１０８は、読取部１０９（スキャナーエンジン）からの読取画像信号を入力するインターフェースを担う。ＣＰＵ１０２は、読取部Ｉ／Ｆ１０９より入力された画像信号を処理し、記録画像信号として印刷部Ｉ／Ｆ１０６へ出力する。
【００１９】
ＣＰＵ１０２は、ＲＯＭ１０４のフォント領域に記憶されたフォント情報を用いて、操作パネル１１０の表示部に文字や記号を表示したり、ユーザーの指示を受けた操作パネル１１０からの指示情報を受けたりする。また、ＲＯＭ１０４のデータ領域には、ＣＰＵ１０２によってデータ通信装置１００の装置情報や、ユーザーの電話帳情報などが記憶され、ＣＰＵ１０２により必要に応じて読み出され、必要に応じて更新される。
【００２０】
本ブロック図では、読取部１０９および印刷部１０７をデータ通信装置１００の内部にある構成としたが、それぞれもしくは両方とも外部にある構成でもよい。
【００２１】
図２は、データ通信装置１００の操作パネルを示す図である。データ通信装置１００は、前述の読取部１０９と印刷部１０７によるコピー機能や、読取部１０９とＵＳＢ  Ｉ／Ｆ１１５、もしくは、ネットワークＩ／Ｆ１１８によるスキャン機能などを有するものとする。加えて、ＭＯＤＥＭ１１１によるファクシミリ機能や、ＵＳＢ（Ｕｎｉｖｅｒｓａｌ  Ｓｅａｒｉａｌ  Ｂｕｓ）１１６やネットワーク経由１２０でＰＣ１２１から指示を受けた印刷（プリント）を行う機能も有するものとする。
【００２２】
操作パネル１１０について以下に説明する。操作パネル１１０には、上述した機能を選択するファンクションキー（２０１〜２０３）があり、ユーザーは使用したい機能のボタンを押下する。また、ユーザーに設定状態やデータ通信装置１００の機器状態を通知する為の表示部２０４を有する。矢印キー２０５は、表示部２０４に表示されたカーソルなどの移動に用いられる。矢印キー２０５は、上下左右４つのボタンがある。矢印キーの中央には、ＯＫキー２０６が配置され、設定や問い合わせに対する「決定キー」の機能を有する。
【００２３】
コピー部数やファクシミリ機能における電話番号の入力などには、ユーザーはテンキー２０７を用いる。コピーやスキャンやファクシミリのスタートを指示するキーとして白黒スタートキー２０８やカラースタートキー２０９がある。原稿を読み取った時にカラー原稿かモノクロ原稿かを判別可能な機能を有するデータ通信装置においては、図に示すように個別のスタートキーを持たない場合がある。
【００２４】
ストップキー２１０は各機能の動作を停止させる指示を行うキーである。一方、動作を停止させる手段として、ユーザーは、状態確認・停止キー２１１を使って現在データ通信装置で行っている処理の状態確認画面より、停止したい処理を選択して停止させる事ができる。その場合も、選択・決定には前述の矢印キー２０５とＯＫキー２０６を用いる。
【００２５】
ファクシミリや送信を行う際の宛先を簡便に指定する手段としてワンタッチキー２１２、短縮キー２１３およびアドレス帳キー２１４がある。ワンタッチキーは各ボタンに対して一つの宛先が登録されており、所望のボタンを押下することで宛先を指定することができる。短縮ダイヤルは短縮キー２１３を押下することで番号入力を促す画面が表示され、所望の宛先に割り当てられた番号をテンキー２０７から入力することで宛先を指定する事ができる。アドレス帳はデータ通信装置１００に登録されている宛先の一覧を表示し、矢印キー２０５によって宛先を選択しＯＫキー２０６によって所望の宛先を決定する。
【００２６】
図３は、ワンタッチキー／短縮ダイヤルとアドレス帳の関連を示す図である。図３では、ワンタッチキー２１２においてキー０１にUser1が割り当てられている。また、短縮ダイヤルとして００１にUser2、００２にUser3が割り当てられている。短縮ダイヤルを指定するためには短縮キー２１３を押下した後、テンキー２０７から登録されている番号を入力する。ワンタッチキーおよび短縮ダイヤルに登録されている宛先はアドレス帳からも参照／使用することができる。アドレス帳はアドレス帳キー２１４を押下することで表示される。
【００２７】
登録されている宛先がどのプロトコルのものであるかはアイコン３０１で示される。図３ではUser1〜User2はファクスであることを示し、User3はＥ−Ｍａｉｌであることを示している。登録されている宛先がワンタッチキーに割り当てられているか否かはアイコン３０２で示される。図３ではUser1がワンタッチキーに割り当てられている事を示している。アドレス帳に表示される項目はタブ３０３によって切り替えることができる。図３では［全て］［“あ”で始まる宛先］［“か”で始まる宛先］のタブが表示されている。宛先およびタブについて、現在選択されている項目は反転表示される。
【００２８】
図４は、アドレス帳を編集する場合の画面フローを示す図である。画面４０１は、「アドレス帳の編集」を選択する画面を示す図である。画面４０１において、「アドレス帳の編集」が選択され、ＯＫキー２０６によって画面４０２に遷移する。
【００２９】
画面４０２は、アドレス帳に登録されている宛先の一覧を示す図であり、矢印キー２０５によってフォーカスを移動し、ＯＫキー２０６によって編集する宛先が指定され、画面４０３に遷移する。画面４０３は、アドレス帳の編集で指定された宛先情報を表示する画面を示す図である。画面４０３において、「宛先」が選択され、ＯＫキー２０６によって画面４０４に遷移する。
【００３０】
画面４０４は、宛先の編集を表示する画面を示す図である。画面４０４において、宛先を入力し、入力後「確定」を選択すると新たに入力された宛先に変更される。
【００３１】
図５は、アドレス帳の編集処理を示すフローチャートである。Ｓ５０１において、ＣＰＵ１０２は、アドレス帳画面（４０２）を表示し、Ｓ５０２に遷移する。Ｓ５０２において、ＣＰＵ１０２は、ユーザーによる編集する宛先の指定を受け付ける。そして、Ｓ５０３に遷移する。
【００３２】
Ｓ５０３において、ＣＰＵ１０２は、アドレス帳の編集で指定された宛先の情報画面（４０３）を表示し、Ｓ５０４に遷移する。Ｓ５０４において、ＣＰＵ１０２は、ユーザーによる宛先の選択を受け付ける。そして、Ｓ５０５に遷移する。Ｓ５０５において、ＣＰＵ１０２は宛先の編集画面（４０４）を表示し、Ｓ７０６に遷移する。Ｓ５０６において、ＣＰＵ１０２は、ユーザーよる新たな宛先の入力を受け付ける。そして、「確定」を選択すると新たな宛先に設定され、Ｓ７０８に遷移する。
【００３３】
Ｓ５０７において、ＣＰＵ１０２は、宛先確認画面を「表示する」設定なのか否かを判断する。「表示する」に設定されている場合は、本処理を終了する。「表示する」に設定されていない場合は、Ｓ５０８に遷移する。Ｓ５０８において、ＣＰＵ１０２は、共有利用の宛先が編集されたのか否かを判断する。共有利用の宛先が編集された場合は、Ｓ５０９に遷移する。共有利用の宛先が編集されていない（個人利用の宛先が編集された）場合は、本処理を終了する。
【００３４】
Ｓ５０９において、ＣＰＵ１０２は、ユーザー管理中か否かを判断する。ユーザー管理中の場合は、Ｓ５１３に遷移する。ユーザー管理中でない場合は、Ｓ５１１に遷移する。Ｓ５１１において、ＣＰＵ１０２は、宛先確認画面の設定を「一定期間表示する」にし、Ｓ５１２に遷移する。Ｓ５１２において、ＣＰＵ１０２は、宛先確認画面の非表示タイマーを開始し、本処理を終了する。
【００３５】
Ｓ５１３において、ＣＰＵ１０２は、システム管理者による宛先の編集か否かを判断する。システム管理者による宛先編集の場合は、Ｓ５１１に遷移する。システム管理者による宛先編集でない場合は、Ｓ５１４に遷移する。
【００３６】
Ｓ５１４において、ＣＰＵ１０２は、各宛先の使用者に対して宛先確認画面の設定を「一時的に表示する」にし、Ｓ５１５に遷移する。Ｓ５１５において、ＣＰＵ１０２は、編集者の情報を保存し、本処理を終了する。
【００３７】
図６は、ワンタッチキー／短縮ダイヤルから宛先を指定した場合の画面フローを示す図である。６０１はファクス基本画面であり、宛先の入力待ちを行う画面である。この画面においてワンタッチキーまたは短縮ダイヤルから宛先を指定した場合、入力したワンタッチキーの内容を示す画面６０２が表示され、ユーザーに対して内容の確認を促す。画面６０２において［ＯＫ］が選択された場合、宛先が指定されたファクス画面６０３に遷移する。画面４０２において［Ｃａｎｃｅｌ］が選択された場合、宛先の指定は行われず、画面４０１に戻る。
【００３８】
図７は、ワンタッチキー／短縮ダイヤルからの宛先指定処理を示すフローチャートである。Ｓ７０１において、ＣＰＵ１０２は、ユーザーによる宛先の入力を受け付ける。そして、Ｓ７０２に遷移する。Ｓ７０２において、ＣＰＵ１０２は、ユーザーによる宛先の入力がワンタッチキー２１２、または、短縮ダイヤル２１３であるか否かを判断する。ワンタッチキー２１２、または、短縮ダイヤル２１３からの入力でなかった場合は、Ｓ７１４に遷移する。ワンタッチキー２１２、または、短縮ダイヤル２１３からの入力であった場合は、Ｓ７０３に遷移する。
【００３９】
Ｓ７０３において、ＣＰＵ１０２は、宛先確認画面を「表示する」よう設定されているかを判断する。宛先確認画面を「表示する」よう設定されていた場合、Ｓ７１１に遷移する。設定されていない場合は、Ｓ７０４に遷移する。Ｓ７０４において、ＣＰＵ１０２は、ユーザーによって入力された宛先が共有利用の宛先か否かを判断する。共有利用の宛先の場合は、Ｓ７０５に遷移する。共有利用の宛先でない（個人利用の宛先である）場合は、Ｓ７１４に遷移する。
【００４０】
Ｓ７０５において、ＣＰＵ１０２は、ユーザーによって入力された宛先が編集された宛先か否かを判断する。編集された宛先の場合は、Ｓ７０６に遷移する。編集された宛先でない場合は、Ｓ７１４に遷移する。
【００４１】
Ｓ７０６において、ＣＰＵ１０２は、宛先確認画面を「一定期間表示する」よう設定されているかを判断する。宛先確認画面を「一定期間表示する」よう設定されていた場合、Ｓ７１１に遷移する。設定されていない場合は、Ｓ７０７に遷移する。
【００４２】
Ｓ７０７において、ＣＰＵ１０２は、ユーザー管理中か否かを判断する。ユーザー管理中の場合は、Ｓ７０８に遷移する。ユーザー管理中でない場合は、Ｓ７１４に遷移する。
Ｓ７０８において、ＣＰＵ１０２は、宛先の入力者と編集者が異なるかを判断する。宛先の入力者と編集者が異なる場合は、Ｓ７０９に遷移する。宛先の入力者と編集者が同じ場合は、Ｓ７１４に遷移する。
【００４３】
Ｓ７０９において、ＣＰＵ１０２は、宛先の入力者に対して宛先確認画面を「一時的に表示する」よう設定されているかを判断する。宛先確認画面を「一時的に表示する」よう設定されていた場合は、Ｓ７１０に遷移する。設定されていない場合は、Ｓ７１４に遷移する。
【００４４】
Ｓ７１０において、ＣＰＵ１０２は、宛先の入力者に対して宛先確認画面を「表示しない」よう設定する。そして、Ｓ７１１に遷移する。Ｓ７１１において、ＣＰＵ１０２は、表示部２０４に宛先確認画面６０２を表示する。そして、Ｓ７１２に遷移する。
【００４５】
Ｓ７１２において、ＣＰＵ１０２は、ユーザーが［ＯＫ］を選択した場合、Ｓ７１４に遷移する。ユーザーが［Ｃａｎｃｅｌ］を選択した場合、Ｓ７１３に遷移する。Ｓ７１３において、ＣＰＵ１０２は、入力された宛先を破棄して処理を終了する。Ｓ７１４において、ＣＰＵ１０２は、入力された宛先を送信先として設定し、本処理を終了する。
【００４６】
図８は、宛先確認画面の非表示処理を示すフローチャートである。Ｓ８０１において、ＣＰＵ１０２は、宛先確認画面を「一定期間表示する」よう設定されているかを判断する。宛先確認画面を「一定期間表示する」よう設定されている場合、Ｓ８０２に遷移する。設定されていない場合は、本処理を終了する。
【００４７】
Ｓ８０２において、ＣＰＵ１０２は、宛先確認画面の非表示タイマーが非表示にする時間を経過したか否かを判断する。非表示にする時間を経過した場合は、Ｓ８０３に遷移する。経過していない場合は、Ｓ８０２に戻る。Ｓ８０３において、ＣＰＵ１０２は、宛先確認画面を「表示しない」よう設定する。そして、本処理を終了する。
【００４８】
図９は、アドレス帳をインポートする場合の画面フローを示す図である。画面９０１は、アドレス帳をインポートするのか、エクスポートするのかを選択する画面を示す図である。画面９０１において、「インポート」が選択された場合、画面９０２に遷移する。画面９０２は、アドレス帳のインポート処理実行中の画面を示す図である。アドレス帳のインポート処理が終了すると画面９０３に遷移する。画面９０３は、アドレス帳のインポート処理終了の画面を示す図である。
【００４９】
図１０は、アドレス帳のインポート処理を示すフローチャートである。Ｓ１００１において、ＣＰＵ１０２は、アドレス帳のインポート処理実行中の画面（９０２）を表示し、Ｓ１００２に遷移する。Ｓ１００２において、ＣＰＵ１０２は、インポートを開始するアドレス帳番号のIndexを１にセットし、Ｓ１００３に遷移する。
【００５０】
Ｓ１００３において、ＣＰＵ１０２は、インポートデータから[Index]番目の宛先情報を取得し、Ｓ１００４に遷移する。Ｓ１００４において、ＣＰＵ１０２は、インポートする宛先はサポート対象の形式かを判断する。サポート対象の形式の場合は、Ｓ１００５に遷移する。サポート対象の形式でない場合は、Ｓ１００８に遷移する。
【００５１】
Ｓ１００５において、ＣＰＵ１０２は、アドレス帳[Index]番の宛先が未登録か否かを判断する。未登録の場合は、Ｓ１００７に遷移する。未登録でない場合は、Ｓ１００６に遷移する。
【００５２】
Ｓ１００６において、ＣＰＵ１０２は、更新するアドレス帳番号を保存し、Ｓ１００７に遷移する。
【００５３】
Ｓ１００７において、ＣＰＵ１０２は、インポートデータから取得した宛先情報をアドレス帳[Index]番に書き込む。そして、Ｓ１００８に遷移する。Ｓ１００８において、ＣＰＵ１０２は、Indexをインクリメントし、Ｓ１００９に遷移する。Ｓ１００９において、ＣＰＵ１０２は、次にインポートする宛先があるかを判断する。
【００５４】
次にインポートする宛先がある場合は、Ｓ１００３に遷移する。次にインポートする宛先がない場合は、Ｓ１０１０に遷移する。Ｓ１０１０において、ＣＰＵ１０２は、更新されたアドレス帳番号があるか否かを判断する。更新されたアドレス帳番号がある場合は、Ｓ１０１２に遷移する。更新されたアドレス帳番号がない場合は、Ｓ１０１１に遷移する。
【００５５】
Ｓ１０１１において、ＣＰＵ１０２は、アドレス帳のインポート処理終了の画面（９０３）を表示し、本処理を終了する。Ｓ１０１２において、ＣＰＵ１０２は、宛先確認画面を「表示する」よう設定されているかを判断する。宛先確認画面を「表示する」よう設定されている場合、Ｓ１０１１に遷移する。設定されていない場合は、Ｓ１０１３に遷移する。
【００５６】
Ｓ１０１３において、ＣＰＵ１０２は、更新されたアドレス帳番号を編集された宛先として保存し、Ｓ１０１４に遷移する。Ｓ１０１４において、ＣＰＵ１０２は、ユーザー管理中か否かを判断する。ユーザー管理中の場合は、Ｓ１０１５に遷移する。ユーザー管理中でない場合は、Ｓ１０１６に遷移する。
【００５７】
Ｓ１０１５において、ＣＰＵ１０２は、システム管理者によるインポートか否かを判断する。システム管理者によるインポートの場合は、Ｓ１０１６に遷移する。システム管理者によるインポートでない場合は、Ｓ１０１８に遷移する。Ｓ１０１６において、ＣＰＵ１０２は、宛先確認画面を「一定期間表示する」よう設定し、Ｓ１０１７に遷移する。
【００５８】
Ｓ１０１７において、ＣＰＵ１０２は、宛先確認画面の非表示タイマーを開始し、Ｓ１０１１に遷移する。Ｓ１０１８において、ＣＰＵ１０２は、各宛先の使用者に対して宛先確認画面を「一時的に表示する」よう設定し、Ｓ１０１９に遷移する。Ｓ１０１９において、ＣＰＵ１０２は、編集者情報を保存し、Ｓ１０１１に遷移する。
【００５９】
以上のように、実施例によれば、ワンタッチキー押下または短縮ダイヤル番号入力による宛先入力において、編集された宛先のみ指示されたワンタッチキー番号または短縮ダイヤル番号を宛先確認画面に表示し、ユーザーの確認を促す事で誤入力を防ぐ事ができる。また、編集されていない宛先が宛先入力で指示された場合は、改めて番号の確認を行わず、操作が煩雑になることを防ぐ事が可能となる。
【符号の説明】
【００６０】
１００  データ通信装置、１０１  コントローラ部、１０７  印刷部、１０９  読取部、
１１０  操作パネル、１１２  回線Ｉ／Ｆ
【図１】
2015216553.tif 000003
【図２】
2015216553.tif 000004
【図３】
2015216553.tif 000005
【図４】
2015216553.tif 000006
【図５】
2015216553.tif 000007
【図６】
2015216553.tif 000008
【図７】
2015216553.tif 000009
【図８】
2015216553.tif 000010
【図９】
2015216553.tif 000011
【図１０】
2015216553.tif 000012